(57)【要約】【課題】少なくとも一層（３、４、５）から成る壁体（６）を有し、湾曲した開口縁（８）の有る取り出し開口部（７）を備え、取り出し開口部（７）とは反対側の端部（９）で閉じており、少なくとも容器壁（６）が、それ自体に連結して連続容器壁を形成する面ブランク（１０）から作られる容器、特に食品（２）を収容するための容器（１）において、容器内部の視認を簡単な構成で、且つ経済的に可能にし、この種の従来の容器の利点の全てが保たれるようにする。【解決手段】容器、特に容器壁（６）を、容器（１）形成のために成型が可能で、成形後寸法安定な、透明又は半透明の、特に液体又は流体密の材料（１３）から少なくとも部分的に構成する。【選択図】図１
2005029255.tif 000002
【特許請求の範囲】
【請求項１】
少なくとも一層（３、４、５）から成る壁体（６）を有し、湾曲した開口縁（８）の有る取り出し開口部（７）を備え、取り出し開口部（７）と向い合う端部（９）で閉じており、少なくとも容器壁（６）が、それ自体に連結して連続容器壁を形成する平面ブランク（１０）から作られる容器、特に食品（２）受容用の容器（１）であって、
容器、特に容器壁（６）を、容器（１）形成のために成型が可能で、成形後寸法安定な、透明又は半透明の、特に液体又は流体密の材料（１３）から少なくとも部分的に構成して成ることを特徴とする容器。
【請求項２】
前記層がポリプロピレン（ＰＰ）、ポリ塩化ビニル（ＰＶＣ）、ポリスチレン（ＰＳ）、ポリアミド（ＰＡ）、ポリエチレンテレフタレート（ＰＥＴ）等から成ることを特徴とする請求項１に記載の容器。
【請求項３】
層（４）の片側又は両側にラッカー塗膜が設けられて成ることを特徴とする請求項１又は２に記載の容器。
【請求項４】
容器壁（６）が可撓性であることを特徴とする前記請求項１〜３の何れか一つに記載の容器。
【請求項５】
ブランク（１０）のそれ自体との連結が熱及び／又は圧力でなされることを特徴とする前記請求項１〜４の何れか一つに記載の容器。
【請求項６】
ブランク（１０）のそれ自体との連結が、特に容器（１１）の縦方向に延びる重なり部（１２）に沿ってなされることを特徴とする前記請求項１〜５の何れか一つに記載の容器。
【請求項７】
開口縁（８）が材料（１３）の特性変化を伴わずに曲げられ、又は巻かれることを特徴とする前記請求項１〜６の何れか一つに記載の容器。
【請求項８】
容器壁（６）が二つ又はそれ以上の層（３，４，５）から成り、これらの層の各々が透明であることを特徴とする前記請求項１〜７の何れか一つに記載の容器。
【請求項９】
外層がＰＰ、延伸ＰＰ（同時押出又はラッカー塗）、ポリエチレン（ＰＥ）、ＰＥＴ、ＰＥＴ（ラッカー塗）、延伸ＰＡ（ラッカー塗）等から成ることを特徴とする前記請求項１〜８の何れか一つに記載の容器。
【請求項１０】
内層がＰＰ、ＰＶＣ、ＰＳ、ＰＡ、ＰＥＴ等から成ることを特徴とする前記請求項１〜９の何れか一つに記載の容器。
【請求項１１】
層（３，４，５）が積層されて成ることを特徴とする前記請求項１〜１０の何れか一つに記載の容器。
【請求項１２】
二つ又はそれ以上の層（３，４，５）が同時押出されて成ることを特徴とする前記請求項１〜１１の何れか一つに記載の容器。
【請求項１３】
未成形ブランク（１０）が処理容易化のため、厳密に平面状であることを特徴とする前記請求項１〜１２の何れか一つに記載の容器。
【請求項１４】
材料（１３）が機械的耐性の良いことを特徴とする前記請求項１〜１３の何れか一つに記載の容器。
【請求項１５】
二つ又はそれ以上の層（３，４，５）が永久完全接合で接合されて成ることを特徴とする前記請求項１〜１４の何れか一つに記載の容器。
【請求項１６】
層（３，４，５）の一つ、特に中央層（４）が弾性、且つ永久変形性であり、成形後に寸法安定性の高い層であることを特徴とする前記請求項１〜１５の何れか一つに記載の容器。
【請求項１７】
少なくとも一内層（５）が液密性であり、もう一つの層（３，４）が気密性であることを特徴とする前記請求項１〜１６の何れか一つに記載の容器。
【請求項１８】
外層及び／又は内層（３，５）が少なくとも重なり部（１２）で連結層として作られることを特徴とする前記請求項１〜１７の何れか一つに記載の容器。
【請求項１９】
層（３，４，５）の縁部（１４）が流体密性であることを特徴とする前記請求項１〜１８の何れか一つに記載の容器。
【請求項２０】
層（３，４，５）の少なくとも一つに印刷（１５）が施されて成ることを特徴とする前記請求項１〜１９の何れか一つに記載の容器。
【請求項２１】
印刷（１５）が耐摩擦性であることを特徴とする前記請求項１〜２０の何れか一つに記載の容器。
【請求項２２】
印刷（１５）が外層（３）の内側（１６）及び／又は中央層（４）の外側（１７）又は内側（１８）及び／又は内層（５）の外側（１９）に施されて成ることを特徴とする前記請求項１〜２１の何れか一つに記載の容器。
【請求項２３】
重なり部（１４）における連結のための熱発生のために、層（３，４，５）の少なくとも一つが超音波吸収性であることを特徴とする前記請求項１〜２２の何れか一つに記載の容器。
【請求項２４】
印刷（１５）が層（３，４，５）の積層前に印刷されることを特徴とする前記請求項１〜２３の何れか一つに記載の容器。
【請求項２５】
層（３，４，５）の少なくとも一つが積層体であることを特徴とする前記請求項１〜２４の何れか一つに記載の容器。
【請求項２６】
閉塞端（９）が壁体（６）の下端部（２０）を連結して作られることを特徴とする前記請求項１〜２５の何れか一つに記載の容器。
【請求項２７】
閉塞端（９）が底部差込（２５）を含んで成ることを特徴とする前記請求項１〜２６の何れか一つに記載の容器。
【請求項２８】
底部差込（２５）が透明材料から作られることを特徴とする前記請求項１〜２７の何れか一つに記載の容器。
【請求項２９】
材料（１３）が透明で、且つ着色されて成ることを特徴とする前記請求項１〜２８の何れか一つに記載の容器。
【請求項３０】
材料（１３）が一層材料の場合、印刷（１５）が容器（１）の外側（２６）に印刷されるようにして成ることを特徴とする前記請求項１〜２９の何れか一つに記載の容器。
【請求項３１】
材料（１３）が同時押出で作られうる多層ＰＥベース材料の場合、印刷（１５）が容器（１）の外側に印刷されるようにして成ることを特徴とする前記請求項１〜３０の何れか一つに記載の容器。
【請求項３２】
材料（１３）が耐衝撃性及び／又は耐破壊性であることを特徴とする前記請求項１〜３１の何れか一つに記載の容器。
【請求項３３】
容器（１）の断面が円形、略四角形、特に方形、卵形、豆形、略多角形であることを特徴とする前記請求項１〜３２の何れか一つに記載の容器。
【請求項３４】
印刷（１５）が三次元効果を有することを特徴とする前記請求項１〜３３の何れか一つに記載の容器。
【請求項３５】
印刷（１５）がホログラムであるか、ホログラムを有することを特徴とする前記請求項１〜３４の何れか一つに記載の容器。
【請求項３６】
印刷（１５）が壁体（６）上で確認窓にかからないことを特徴とする前記請求項１〜３５の何れか一つに記載の容器。
【請求項３７】
食品（２）が少なくとも部分的に取り出された後はじめて、印刷物（１５）が見えるようにして成ることを特徴とする前記請求項１〜３６の何れか一つに記載の容器。
【請求項３８】
開口縁（８）が容器壁（６）の残部に対して９０°以上の角度で外側に湾曲されて成ることを特徴とする前記請求項１〜３７の何れか一つに記載の容器。
【請求項３９】
開口縁（８）が部分的に及び／又は所々で連続して形成されるようにして成ることを特徴とする前記請求項１〜３８の何れか一つに記載の容器。
【請求項４０】
容器（１）、そして特に材料（３）が少なくとも温度範囲‐５０℃〜＋１２０℃で安定であることを特徴とする前記請求項１〜３９の何れか一つに記載の容器。
【請求項４１】
容器が積み重ね自在、且つ積み重ねから取り外し自在であることを特徴とする前記請求項１〜４０の何れか一つに記載の容器。
【請求項４２】
層（３，４，５）の少なくとも一つが断熱層として形成されて成ることを特徴とする前記請求項１〜４１の何れか一つに記載の容器。
【請求項４３】
前記請求項１〜４２の何れか一つに記載の容器製造用のブランク。
【発明の詳細な説明】
【技術分野】
【０００１】
本発明は、請求項１の特徴を有する容器、特に食品を受容するための容器、及びこの容器製造用の、それに対応したブランク（素材）に関する。
【背景技術】
【０００２】
かかる容器としては、貯蔵用の食品を充填した例えばカップ状等の、食品が後で容器から取り出され、或いはまた容器から直接消費されるようにする容器が実際知られている。
圧縮自在式容器の一例は例えば、ＥＰ００７４９３６Ｂ１から知られている。この圧縮自在式容器は、壁体が少なくとも二層から成る管状体である。容器上端には、食品の充填と、充填食品の消費のための取り出し開口部が設けられている。この圧縮自在式容器は、容器下端で閉塞されている。この容器製造のため、平面状のブランクが用いられ、このブランクは先ず巻かれ、次いでそれ自体と連結されて、連続する容器壁が作られる。
容器壁の材料は、防水性の紙やプラスチックのような比較的可撓性が有り、且つ比較的剛性の高い材料である。だが、この既知の容器では、容器が充填されているかどうか、また容器に何が充填されているかを確認できない。
【０００３】
また、実開平５６−１５６７７７から食品受容用の別の容器が知られている。この容器は、剛性紙と、その両側に設けられたポリエチレン層との積層体で形成される。容器を閉じる蓋は、蓋両側にアルミ箔と、その両側に設けられたポリエチレン層との積層体で形成される。この容器は不透明であり、容器内部は視覚的に見ることができない。
【発明の開示】
【発明が解決しようとする課題】
【０００４】
本発明の目的は請求項１の前段に記載の容器を改善して、容器内部の視察を簡単な構成で、且つ経済的に可能にし、この種の従来の容器の利点の全てが保たれるようにすることにある。
【課題を解決するための手段】
【０００５】
この目的は、請求項１に記載の特徴事項によって達成される。
本発明によれば更に、かかる容器の製造用として、それに対応したブランクが提供される。
【０００６】
本発明による容器を特徴付けるものは、容器の少なくとも一部に対して、明らかに矛盾する特性を有利に組み合わせた材料を用いたことである。
食品を容器に確実に貯蔵するため、本発明による材料は液密性又は流体密性のものであることが望ましい。これにより、液状流体の浸透や漏れ及び／又は気体状流体の浸透や漏れを無くすことができる。乾燥食品、特に注いで利用する食品の場合には、これに関しては気密であれば良いことになる。また、Ｏ２等の気体と接触しても消費に関係する特性が損なわれない食品であれば、気密性を要せずに済む。
【０００７】
材料はまた、透明であることである。これにより、対応するブランクから製造した容器であれば、容器内部が異物、特に不純物を含んでいるかどうかを、或いは傷んでいるかどうかを視覚的に確認することができる等の多くの利点が結果として得られる。圧縮自在式容器のこの視覚的透明性はスペクトルの少なくとも可視域（半透明）に有るが、それは隣接スペクトル領域、即ち赤外域及び紫外域に広げても良い。この透明性により、当該食品の充填の際の充填度を監視することも可能になる。特に、充填方向と直角な方向からの充填度の監視が可能になる。
【０００８】
材料が透明であることは、容器充填に対する上記利点に加えて、容器から食品を取り出し、又は、それを容器から消費しようとする消費者に対しても多くの利便をもたらす。
消費者にとっても、食品の充填度を簡単に確認できることは重要である。更に、量ではなく、例えば充填食品の密度が確認できる。このことはまた、食品のあり得る変色や着色に付いても同様に云える。そのような変色は食品の鮮度に付いて結論を下すことを可能にし、食品の意図的着色は付加的視覚的購買意欲を起こさせる場合も有る。
材料が透明であることのもう一つの利点は、消費中に取り出し開口部を通して、食品が取り出し開口部に対して何処に有るかが見えるだけでなく、容器壁を通してもそれが見えることである。これにより、例えば容器が傾いた場合、食品が取り出し開口部から意に反して出て行ってしまうことを防ぐ。
【０００９】
原理的には、容器壁の一部のみを透明又は不透明、好ましくは液密及び／又は気密な材料で作るようにすれば十分である。容器の残部は通常のように、剛化紙等から作れば良い。だが、本発明によれば、全容器をこの材料で作り、容器の内部を、容器壁を通して何処でも確認できるようにするのがより有利である。これにより、必要時容器壁の透明部を見つけるために、先ず容器を回転させる必要が無くなる。尚、容器壁の一部のみを透明又は半透明とする場合でも、この一部が充填食品の全高さに亘るようにし、その最大充填度並びに消費中の充填の減り具合を観察できるようにすると良い。そのためには、容器壁が充填食品の高さに沿う当該材料の一連の部分から成るようにすれば良く、またこれ等の部分が容器の縦方向に、必要なら容器の周囲方向にも互いに離間するようにしても良い。
【００１０】
当該材料としては、ポリプロピレン（ＰＰ）、ポリ塩化ビニル（ＰＶＣ）、ポリスチレン（ＰＳ）、ポリアミド（ＰＡ）、ポリエチレンテレフタレート（ＰＥＴ）、ポリエステル等が用いられる。
【００１１】
当該層材料の緊密性を改善するには、必要ならラッカーの塗膜を層の両側に設ければ良い。
消費者が食品を消費するにあたって、容器に圧力を加えられるようにするため、容器を可撓性にすると良い。これは、当該透明又は半透明、好ましくは液密又は流体密材料についても云える。
ブランクをそれ自体と連結して、連続する容器壁を作れるようにするため、ブランクを例えばその側方縁同士が接するまで巻くようにする。この縁連接部に沿って、ブランクをそれ自体に連結する。要すれば、付加的連結手段を用いても良い。通常は、この主の連結は熱及び／又は圧力を介して行われる。
【００１２】
巻き込んだ容器の当該連接縁に沿って連結部を作るだけでなく、互いに割り当てられた縁部でブランクの重なり部を、それが容器の縦方向に平行になるように作り、ブランクがそれ自体にこの重なり部で連結されるようにすることもできる。
【００１３】
透明且つ流体密の材料を、完成容器の取り出し開口部が形成される当該ブランクの上端まで延ばす場合、又は、容器壁の全てをこの材料で構成する場合には、関係する材料の特性を変えることなく、取り出し開口部の開口縁を曲がり自在又は巻き込み自在にすることができる。このようにして、透明性、流体密性及び寸法安定性等のこの材料の特性を開口縁部もまた確実に有するようにする。
当該材料が成形後でも寸法安定性であることから、開口縁部は曲げ又は巻き込み後もその当該形状を確実に保つことになる。
【００１４】
例えば材料がその特性変化を伴わずに成形可能であれば、所謂クレージングが回避される。例えばクレージングは、初めは透明な材料でも、成形又は折り曲げるとそれ以外の部分を除いては通常線形に白化する材料に生ずる。そのようなクレージングはまた、消費者が食品を取り出すために容器を持ち、圧力を加える容器壁の部分にも生じ、座屈又は褶曲線を生させることがある。例えば開口縁部における、そのような特性の変化がある程度は容認できる場合でも、それらは有効に回避される。
【００１５】
特に、容器壁全体がこの材料で作られていれば、容器全体がそれに対応して透明・半透明、且つ液密・流体密になるだけでなく、成形後も寸法安定である。この寸法安定性は就中、容器の貯蔵時や、製造場所と充填場所間の移動の際に重要である。更に、容器はその寸法安定性のために、付加的手段を講じなくても、少なくとも充填時の取り出し開口部において開いたままであるので、食品を容易に充填できる。寸法安定性はまた食品の消費の際にも、食品が一部又は全部取り出された後でも容器がその形状を保持することから、役立つ。食品の消費のため押圧されて容器が圧縮される場合も、押圧停止後に容器が概ね元の形状を取るのを寸法安定性が助け、食品は容器の内部に戻されることになる。
寸法安定性はまた、例えば重なり部における十分な安定性並びに透明性及び緊密性を保つために変わるべきではない特性でもある。
【００１６】
必要なら、透明性及び流体密性に関する異なる特性の層を組み合わせ得るようにするため、各層が透明な二層又は多層の当該材料から容器壁を作ることができる。ここで、「透明性」とは「半透明」をも意味し、流体密性とは液密又は気密をも意味するものであり、これ等の用語は常にこのように理解されるべきである。
因みに、外層はＰＰ、延伸ＰＰ（同時押出又はラッカー塗）、ＰＥ、ＰＥＴ、ＰＥＴ（ラッカー塗）、ＰＡ、延伸ＰＡ（ラッカー塗）等から成るようにすることができる。内層に対しては次の材料、即ちＰＰ、ＰＶＣ、ＰＳ、ＰＡ、ＰＥＴ等が可能である。
【００１７】
種々の層に関して、これ等の層を積層させるようにすると有利である。大きな面を持つ積層体が相当する複層からなるようにし、次いで積層体をパンチングしてブランクを得るようにしても、ブランクを別の方法で得るようにしても良い。そのような積層体を用いれば、層同士の相互連結と当該特性が同時に確保される。
層の作製と相互連結を行うもう一つの方法は、層を同時押出するものである。
【００１８】
対応ブランクを容器に、且つ同様の容器用の従来の製造装置及び充填装置に簡易に用い得るようにするには、この未成形のブランクが厳密に平面状のものとすれば良い。これにより、ブランクを輸送に際して容易に積み重ねできると共に、ブランクを当該装置に容易に引き入れ、ブランクから容器を巻き込み成形して得ることができる。
尚、ブランクの少なくとも外側が、ブランクに対して当該引き入れ手段がスリップするのを防ぐ程度の面粗さ、即ち必要最低限の摩擦力を有するようにすると更に良い。
【００１９】
この未充填状態又は既充填状態の容器の輸送、この既充填伸縮性容器の提供又は消費者によるその使用中に、この伸縮性容器が先の尖った物体に接触することも有る。これに関連して、容器壁の当該材料がかかる物体に対して或る程度の機械抵抗を有し、材料の透明性や流体密性に有害な作用の有る損傷の無いようにすると良い。
【００２０】
材料が二層又は多層構成の場合、容器の製造中又はその後の取り扱い中に有害な視覚的付痕が生じるのを回避するためには、当該層を完全永久的接合により相互接合すれば良い。さもなければ、層が場所によっては剥がれ、半球形状（ｂｕｂｂｌｅ）等の形成の付痕が生じ、視覚的付痕に加えて、材料の透明性に有害な影響を及ぼすことがある。
上記の完全永久的接合を達成する方法として、前記の積層化や同時押出が有る。
【００２１】
当該材料の層数とは無関係に、用いられる層の一つ又は単層が、数層の場合には特に中央層が、弾性を有するが、永久成形が可能であり、成形後も寸法安定なものであれば通常十分である。
【００２２】
最適な流体密性を得るためには、液密性と気密性を別層で得るようにすると有利であることが分かった。これを達成するには例えば、少なくとも一内層が液密、且つ／或いは別の一層が気密であるようにする。
重なり部における当該層を、接着剤等の付加的連結手段により組み合わせることができる。簡略化した実施例では、外層及び／又は内層を少なくとも重なり部で連結層として形成することができる。
【００２３】
これ等の層の材料に付いては、例えば層の一つが冷又は温食品に対して断熱機能を有するようにし、且つ／或いは全層が例えば容器内の食品を加熱するためのマイクロ波に対して透過性が有るようにしても良い。
勿論、液密性及び気密性を単一層で達成するようにしてもよい。
【００２４】
特に重なり部において、だが取り出し開口部及びその開口縁においても並びにブランクの他の全縁部に沿っても、これ等の縁部又は当該材料の自由端が十分には封止されていないと云う問題が時には起こる。従って、伸縮性容器の外側に位置する食品又は液体の特に液体成分、例えば凝結水が材料を貫通することが有る。そのような貫通が起こると通常、当該材料又は材料の少なくとも一層の厚みが変化するため、半球形状が材料内に生じ、視覚的外観の全体に有害に作用することが有る。液が層の自由端又は縁部を介して浸透すると、容器が完全に漏れやすくなったり、その特性の或るもの、例えば寸法安定性が失われたりすることが有る。特に液がそのように浸透する結果、圧縮自在容器の面がびしょぬれになったり、材料が容器から剥がれたりすることが有る。これ等の不都合は、層の縁部を流体密にすることにより回避できる。
【００２５】
視覚的により魅力的な意匠を容器に与えるため、或いは情報表示のため、層の少なくとも一つに印刷を設けると良い。
容器の製造のための対応ブランクの処理及び後で行われる充填又は消費者による使用に際し、印刷が耐摩擦性であるようにすると良い。これは、印刷が直接接触によっても、層の一つを介した作用によっても擦り取られないことを意味する。
【００２６】
容器壁の材料が一層構成の場合、印刷は容器の一方の側である外側に印刷される。このことは、同時押出の層に付いても云える。だが、多層構成の場合には、印刷が外層の内側に及び／又は中央層の外側及び／又は中央層の内側及び／又は内層の外側に設けられるようにすると良い。これにより、グラフィック意匠又は色の異なる数個の印刷を組み合わせることができる。
【００２７】
ブランクのそれ自体との連結に必要な熱を簡単に供給し得るようにするには、層の少なくとも一つを超音波吸収性とすれば良い。超音波を吸収する結果、当該層は少なくとも十分に軟化される程度まで強く加熱され、それに縁接触又は面接触する層と、冷却後には密接連結、特に流体密連結を形成する。このことは当然、重なり部で接触の両層同士についても、特にこれ等が同一材料から成る場合に云える。尚、超音波により当該材料を加熱しても、連結及び冷却後の材料の透明性が損なわれることはない。
【００２８】
層が積層で作られる場合には、層の積層前に印刷部を印刷するのが有利と考えられる。それにより、印刷部は容器の外部で直接、有害な作用に曝されることはなく、食品に対して有害な作用のリスクが無くなる。
材料の層構成において、層の一つ自体を積層とすることもできる。
当該材料の二層のみ、或いはそれ以上の層が同時押出で形成されるようにしても良い。
【００２９】
容器の下端の閉鎖に関しては幾つかの例が考えられる。
一実施例において、閉塞端は壁部の下端部同士を連結して形成される。それによれば、閉塞端は本質的に容器壁とその材料で形成されることになり、透明、特に流体密になる。
この場合、壁の下端部同士を連結前に圧接し、関係する熱効果で壁部それ自体も連結されるようにすると良い。
別の部品を用いて容器を閉塞することもできる。その場合、閉塞端が例えば底部インサートを含むようにする。これは別のブランクから成るようにしても良い。
通常、底部インサートは透明である必要は無い。だが、底部インサートを容器と同じ材料で作ることもでき、また、それに対応する熱と圧力を用いて底部インサートと容器壁を連結するようにしても良い。
取り出し開口部で容器を閉塞するには、特にその開口縁を蓋で密閉すれば良い。
【００３０】
容器壁に用いられ、また底部インサートにも用いても良い材料は透明であるが、着色されていても良い。これは、材料が透き通った透明ではなく、赤、黄、緑（等）であると云うよりは、着色透明でも良いことを意味する。
【００３１】
印刷が食品に付いて悪影響を及ぼすのを避けるため、容器が一層材料の場合、その一方の側である外側に印刷する。多層ポリエチレン系材料の場合にも、そのようにしても良い。そのような材料は、同時押出で作ることもできる。容器のこの材料が食品に付いて悪影響を及ぼすことも無く、容器の緊密性のため液体分が滲み出したり、漏れたりすることも無いのは勿論である。
また、容器が充填又は未充填状態で倒れても簡単に破損することが無いようにするには、その材料が耐衝撃性及び／又は耐破壊性のものにすれば良い。
【００３２】
容器の断面形状は種々のものが可能であり、容器の縦方向形状も種々の変更が可能である。この変更は同一断面のものの寸法変更だけでなく、別の断面形状に関する変更も含む。そのような断面形状の例は円形、略多角形、略四角形、特に方形、卵形、豆形状等である。
【００３３】
印刷は、色等の当該手段を刷り込むことにより通常の方法ですれば良い。色等を印刷することによるだけでなく、それを当該層に刷り込むことにより、或いは場合によっては刻み込むことにより印刷をなすことができる。印刷はまた立体効果を持つものでも、或いはホログラムでも又はホログラムを含むものでも良く、また光沢効果を持つものでも良い。
また、印刷が確認窓を除く全容器壁を覆うようにしても良く、容器の内部がこの確認窓を通してのみ見えるようにしても良い。これに関連して、かかる確認窓数個が容器の縦方向及び／又は容器の周囲方向に配置されるようにしても良い。それにより、容器内部の数箇所が見えるようになる。
例えば、印刷の色に応じて、食品の少なくとも一部が取り出された後にのみ、印刷自体が見えるようにすることもできる。このようにするには例えば、印刷の色を充填食品の色と同じにする。この場合、十分な量の食品が取り出されたら、印刷の或る部分が露出されて見えるように、即ち変化する印刷になるようにしても良い。そのような現れる又は変化する印刷は、十分な量の食品を取り出してはじめて、ひょっとしたら何か当たったかどうかを確認できるある種の当たりくじ等を可能にすることに供し得る。
【００３４】
開口縁は前記のように、丸く巻くようにすることができる。この丸く巻くは、単純な丸巻きでも、多数回丸巻きでも良い。曲げ開口縁の場合には、開口縁が壁の残部に対して９０°以上の角度で湾曲するようにする。それによれば、例えば９０°の角度では、開口縁は取り出し開口部から外側に放射状に張り出すことになる。
【００３５】
取り出し開口部の何処からでも容器から飲料（液体食品）を飲めるようにするため、開口縁が引き出し開口部の全周に沿って延びるようにすると良い。だが、開口縁が部分的にのみ連続する、且つ／或いは所々に有るようにすることもできる。
【００３６】
前記容器特性、特に室温のみならず、大きな温度範囲で供給される材料の特性に関して、容器、特にその材料が、例えば滅菌装置に対して、温度範囲‐５０℃〜＋１２０℃で安定であることが良いと考えられるべきである。この安定性は例えば、寸法安定性、透明性、流体密性等に関する。印刷に関連して、本発明に用い得るものとして、感温性の印刷もある。そのような印刷はその色を変化させ、従って所定温度でその情報内容を変化させることができる。従って、消費者は冷却食品の温度が十分低いかどうかを、或いは加熱食品が十分温かいかどうかを確認することができる。
【００３７】
複数の容器を簡単に貯蔵し、在庫から取り出せるようにするため、容器が積み重ね自在及び取り外し自在とすると良い。
容器の寸法安定性に関して、これが特に重なり部と開口縁における、例えば容器形状を重なり部でも連続させる、即ち当該形状を丸い又は例えば卵形容器の重なり部にも付与するための連結に重要である。更に、寸法安定性はこれ等の部分で漏れが生ずるのを防ぐために重要である。
冷却食品でも、加熱食品でも、当該温度ができれば所定時間に亘って変化しないように保たれるべきである。そのため、層の少なくとも一つが断熱層として形成されるようにすると良い。そのような断熱層は一方では、特定材料により断熱性を有するようにすると良い。他方では、この層が空気等の断熱材を含有するようにするか、隣接二層間に空隙が形成されるようにすると良い。
冒頭に記載のように、本発明はまた上記容器の製造のためのブランク（素材）、少なくとも容器壁製造用に供する、また場合によっては閉塞端及び開口端用でもあるブランク（素材）に関する。
【発明を実施するための最良の形態】
【００３８】
以下、本発明の好適な実施例を図面を参照して、より詳細に説明する。
図１は、コップ型設計の容器１を側面（透視）図で示す。容器１には、図１の上端に示す取り出し開口部７が備わり、図２にも示されているように巻き開口縁８で囲まれている。
開口縁８には、蓋２１が密着して取り付けられている。少なくとも一箇所にあって、開口縁８から蓋２１を引き離すための蓋つまみ２２が、蓋から外側に突出している。
液体状でも、ペースト状でも、投下自在でも、注ぎ自在でも良い食品２が容器の内部に充填されている。食品２は容器に、充填レベル２３まで満たされている。
容器１には、図５に示すブランク（素材）により形成される容器壁６が備わる。容器壁６は透明、且つ液体密材料から成る。
図１の実施例では、容器１は取り出し開口部７に対向するその端部９に底部インサート２５を有する。この底部インサートは外側から壁６上又は内に少なくとも部分的に延長して配置され、壁に流体密に連結されている。
底部インサート２５は、容器壁６と同一材料から成るようにしても良い。
容器１は容器壁６の部分に、印刷（プリント）１５を備える。この印刷は、特に容器壁が一層材料の場合、容器１の外側、即ち容器壁６の外側に設ければ良い。二層又は多層構造の場合には、特に図３に示すように、印刷は外層３の内側１６及び／又は中層４の外側１７及び／又は中層４の内側１８及び／又は内層５の外側１９に印刷される。
用いられる層材料に応じて、どの層の一方の側を印刷するかで視覚的外観が別のものになり、また容器壁が透明であることから、複数の印刷を異なる層上で、又は複数層の両側で組み合わせることができる。このような組み合わせは、三次元的なプリントのような光学的作用をもたらす。更に、種々の印刷を組み合わせることにより、消費者が外側から組み合わせ印刷を見た時、色の組み合わせにおいて可変の色の印刷が可能になる。
【００３９】
図２に、図１の線ＩＩ−ＩＩに沿う断面が示されている。この図では、特に容器壁６がその上端で、どのように外側に丸く曲げられ又は巻かれて開口縁８を形成しているかが分かる。容器壁の層材料の選択によって、開口縁を形成する場合の延性並びに成形後の寸法安定性が得られる。
図３に、容器６（又は図５のブランク１０）の線ＩＩＩ−ＩＩＩに沿う断面が示されている。図示の実施例では、容器壁が三つの材料層から成る。
一材料層のみが用いられる場合、同層は例えばポリプロピレン（ＰＰ）、ポリ塩化ビニル（ＰＶＣ）、ポリスチレン（ＰＳ）、ポリアミド（ＰＡ）、ポリエチレンテレフタレート（ＰＥＴ）等から成るようにすることができる。そのような一層材料の場合、流体に対する密封性を良くするため、その両側にラッカーの塗膜一又は二層を設けることができる。
層を二層又はそれ以上にする場合は、図３に参照番号３，４及び５で示されているように、内層が例えばＰＰ、ＰＶＣ、ＰＳ、ＰＡ、ＰＥＴ等から成り、外層が例えば延伸（向き付けられた）ＰＰ、ポリエチレン（ＰＥ）、ＰＥＴ、ＰＡ，延伸ＰＡ等から成るようにすることができる。更に、延伸ＰＥは同時押出されるようにしても良い。
【００４０】
図３の異なる層３，４及び５は個別層として接合され、容器壁６を形成することができる。これ等の層が積層を形成するようにしても良く、これ等の層の少なくとも一つが積層であるようにしても、これ等の層が同時押出で形成されるようにしても良い。
容器壁６を一層材料とする場合、印刷１５を容器１の外側に印刷すること、多層構成の場合には、種々層の内側及び外側が各々用いられ、外層の外側や内層の内側には印刷しないことは既に指摘した。
【００４１】
図４に、本発明による容器１の第二の実施例が示されている。この容器では、図１の容器１でも同様であるが、容器壁６は可撓性であり、従って圧力を外側から容器加えて食品２を取り出し開口部８に向かって移動させ、それを取り出し、又は消費できるようになっている。必要なら、特にアイスクリーム等の冷凍製品の場合、圧力に加えて、消費者の手の熱が伝えられ、少なくとも製品と容器壁６の内側との間に液化食品２の層が形成されるようになる。図３の異なる層３、４及び５に対して上記材料を用いることにより、容器壁６に可撓性が付与される。同時に、特にＰＥＴ（ポリエステル）を用いることにより、図１又は図４の容器１の当該形状を安定化する一層の材料が用いられることになる。かかる層材料は可撓性が高いが、剛性も比較的高い。
図４の容器１には、その閉塞端９に、容器壁６用のブランク１０で形成された取っ手２４が備わる。
この取っ手２４を形成するため、図５を参照して、ブランク１０を容器の当該形状に巻いた後、ブランク１０の下端部分部分２０が互いに押圧され、そして加熱されて、流体密に密着連結されるようにする。そのような取っ手を形成しなくても、閉塞端９はこれ等の下端部分部分２０を連結して形成することができる。
図４の容器１では簡明化のため、図１の印刷１５は示されていない。
【００４２】
図５のブランク１０において、それが囲繞縁１４を備えていることが注目されるべきである。これは流体の浸透を防ぐために密閉されることができる。ブランク１０が巻かれた後、巻き状態を固定するが、これは例えば、相面する縦縁１４同士を接触関係に配置し、これ等を直接、又は付加的連結手段を用いて接合することにより行われる。また、縁１４を互いに重ね合わせて、容器の縦方向１１に延びる重なり部１２を形成し、ブランクをそれ自体に、外層３と内層５の連結を介して取り付けるようにしても良い。更に、接着剤を重なり部に設けても良い。
図４の取っ手２４を形成するため、ブランク１０の下端部分２０が互いに押圧されるようにする。この連結は、重なり部１２における連結と同時に行うことができる。ブランク１０の上端１０は、図１及び２に示すように外側に曲げ、又は巻いた後、開口縁８として作用する。
図１及び４に示した代表実施例は例示的なものに過ぎず、図４のものに対して倒立した関係にある円錐デザインの容器、長い管状の容器等の他の容器形状も可能である。また、容器壁６用の当該透明及び流体密材料が容器の周囲一部に、容器縦方向１１に沿って配置され、容器壁６の他の部分が不透明になるようにしても良い。また、この当該透明部が容器縦方向１１に離間する副部分数個から成り、これ等の副部分が容器１の周囲方向には互いに一直線をなさないように配置しても良い。だが、当該容器の製造の工程簡略化のためには、容器壁６全体が当該透明、且つ流体密材料、そして場合によっては更に多層材料から成るようにするのが通常有利である。これにより、容器壁６の材料の内部に印刷をより容易に配置することができる。
【００４３】
次に、本発明による利点を、消費者関連の利点及び処理関連の利点に関して再び要約する。
本発明による消費者関連の利点の一つは、当該容器がある種の視覚的特質で特徴付けられることである。例えば、本容器は種々の形状、例えば卵形、円形、略方形又は多角形、豆形状等に形成することができる。更に、特に可視スペクトル域での透明性のため、容器の中身も容器を開けずに見ることができる。食品の充填度及び状態を簡単にチェックすることができる。印刷が種々の形式で行えるので、視覚的利点が更に増す。印刷を視覚的に特に強調する光沢効果の有るデザインを印刷が備えるようにすることもできる。更に、印刷が三次元的効果をもつようにすることもできる。また、少なくとも窓を除く容器全体に印刷を設けることができる。印刷をホログラムで形成し、更なる視覚的利点を提供するようにすることもできる。更に、食品が取り出された後にはじめて、印刷が見えるようになるようにすることもでき、例えば、消費者に当たった賞品等に付いて知らせるようにすることもできる。
消費者は本発明による容器で、多数の更なる利点が得られる。これ等の利点の一つは、気体状及び／又は液状流体に対する容器の緊密性である。この緊密性は当該食品の滲み出し及び漏れに関係する。尚、容器を満たすべき食品が乾燥食品であり、消費に関係するその特性が、例えば容器壁を通しての気体状流体の交換によって損なわれない場合、即ち、この食品が例えば、酸素、二酸化炭素等によって損なわれず、従って制限無しに消費に、なお適する場合には、流体密性が無くても良い。
【００４４】
本発明による容器の更なる利点はその可撓性であり、そのため当該食品は容器から押し出すことができることである。同時に、容器は耐衝撃性があり、外部作用に対して十分耐性があることである。即ち、容器は倒れても傷付くことはなく、鋭角の物体でも簡単には通さないことを意味する。
同時に、容器は押された後でも元の形状を取る程度まで弾性がある。容器は更に、緊密性があって、液の滲み出し又は漏れが生ずることが無いので有利である。
容器の耐性は個々の層に付いても云える。従って、層が部分的に剥がれることさえ無い。本容器は、充填される食品の特性が食品消費の際、外部作用によっても、容器材料によっても損なわれることが無く、全体として食品の貯蔵に優れている。
容器の寸法安定性は、容器が可撓性を有し、しかもその元の形状を自動的に取り、且つ縁部や膠着層等の、特に容器変形部においてその所定形状と他の特性を維持するように選ばれる。
印刷もまた、食品の特性を損なわないように、且つ擦るなどしても簡単には容器から消えることのないように設計及び配置される。同時に、容器は冷却食品や加熱食品に対しても、手に好ましい感じを与える材料から成る。
【００４５】
これ等多数の消費者関連の利点だけでなく、同様に多数の処理関連の利点が有る。
本発明による容器はその製造中に密閉することが簡単であるので、ブランクの膠着部に対して特に重要な利点である。だが、本容器はこれ等の膠着部で緊密性が有るだけでなく、容器材料によっても有る。更に、本容器は印刷に好適、即ち簡単に印刷が設けられるものであり、印刷を材料層一つ又はそれ以上に行う多数の方法を適宜用いることができるものである。
ブランクは面が平らであるため、処理及び輸送が簡単である。容器材料が可撓性であるにも拘らず、成形が可能で、且つ特に取り出し開口部の縁部において等、必要成形部においてその形状を維持するものである。この寸法安定性は更に、容器の接合又は膠着部、即ち容器の断面に対応してその形状を維持すべき部分に対して有用になる。それにより、容器の更なる処理、即ち容器充填が、容器がその寸法安定性のため、その当初意図の形状を維持し、そして例えば、当初意図の円形形状は時間の経過と共に卵形又はつぶれた形状になることはないから、容易になる。
この寸法安定性とそれに伴う容器成形とにより、積み重ね及び取り外し自在性が良好になり、生産と輸送にも有利となる。
容器の緊密性は当該食品の充填に、充填中と後時の輸送中に当該液体の滲み出し又は漏れの危険が無くなることから、重要である。
更に、本容器がその特性と形状に関して低温にも高温にも耐性があることは有利である。このことは例えば、食品を充填し、後に冷却しても、緊密性、可撓性、寸法安定性、透明性等の特性が変化しないことを意味する。このことは、例えば容器の滅菌に有利な昇温に対して同様に云える。更に、加熱食品の消費に本容器が用いられる場合、対応して高い温度となることも可能である。
最後に、もう一つの処理関係の利点は、蓋での容器の密着閉塞が容易であることである。即ち、蓋を特に取り出し開口部上に置き、当該開口縁と緊密に連結するだけで良い。
【図面の簡単な説明】
【００４６】
【図１】本発明による容器の第一の実施例を示す側面（斜視）図である。
【図２】図１の線ＩＩ−ＩＩに沿う断面図である。
【図３】図１の線ＩＩＩ−ＩＩＩに沿う断面図である。
【図４】本発明による容器の第二の実施例を示す側面（斜視）図である。
【図５】図１に示す本発明による容器の製造のためのブランクを示す平面図である。
【符号の説明】
【００４７】
１…容器
２…食品
３…外層
４…中層
５…内層
６…容器壁
７…取り出し開口部
８…開口縁
９…端部（閉塞端）
１０…ブランク下端部分
１１…容器縦方向
１２…重なり部
１５…印刷
２０…ブランク下端部
２１…蓋
２２…蓋つまみ
２４…取っ手
２５…底部インサート
【図１】
2005029255.tif 000003
【図２】
2005029255.tif 000004
【図３】
2005029255.tif 000005
【図４】
2005029255.tif 000006
【図５】
2005029255.tif 000007